(57)【要約】【課題】機械的物理キーを用いない簡易な構成としながら、操作者の権限毎に処理内容を変えることができる貨幣処理装置および貨幣処理方法を提供する。【解決手段】貨幣処理装置（例えば、貨幣釣銭機１）は、識別番号を記憶するとともに、権限と処理部により行われる処理の種類との関係を記憶する記憶部６と、読取部４２により記憶媒体（例えば、ＩＣタグ）から情報が読み取られたときに、読み取られた識別番号が記憶部６に記憶されている識別番号と一致する場合に、記憶部６に記憶されている権限と処理の種類との関係に基づいて、読取部４２により読み取られた権限に対応する種類の処理を処理部により実行可能とするよう当該処理部を制御する制御部（例えば、上位制御部２、紙幣制御部１０ａ、硬貨制御部５０ａ）とを備えている。【選択図】図５
2017138819.tif 000002
【特許請求の範囲】
【請求項１】
貨幣の処理を行う処理部と、
記憶媒体から少なくとも識別番号および権限に関する情報を読み取る読取部と、
識別番号を記憶するとともに、権限と前記処理部により行われる処理の種類との関係を記憶する記憶部と、
前記読取部により前記記憶媒体から情報が読み取られたときに、前記読取部により読み取られた識別番号が前記記憶部に記憶されている識別番号と一致する場合に、前記記憶部に記憶されている権限と処理の種類との関係に基づいて、前記読取部により読み取られた権限に対応する種類の処理を前記処理部により実行可能とするよう当該処理部を制御する制御部と、
を備えた、貨幣処理装置。
【請求項２】
識別番号は、店舗番号、レジ番号あるいは店舗番号およびレジ番号を組み合わせたものである、請求項１記載の貨幣処理装置。
【請求項３】
前記記憶部に記憶されている識別番号および権限を前記記憶媒体に書き込む書込部を更に備えた、請求項１または２記載の貨幣処理装置。
【請求項４】
前記記憶部に記憶されている権限のうち予め設定されている所定の権限を有する者のみが前記書込部により前記記憶部に記憶されている識別番号および権限を前記記憶媒体に書き込むことができる情報登録モードを選択可能となっている、請求項３記載の貨幣処理装置。
【請求項５】
前記読取部により前記記憶媒体から読み取られた情報に基づいて前記処理部により処理を行うような第１処理モードおよび外部装置から送信された指令に基づいて前記処理部により処理を行うような第２処理モードのうちいずれかの処理モードを選択する処理モード選択手段を更に備え、
前記制御部は、前記処理モード選択手段により選択された処理モードに基づいて前記処理部を制御するようになっている、請求項１乃至４のいずれか一項に記載の貨幣処理装置。
【請求項６】
前記処理モード選択手段により第２処理モードが選択されている場合に、外部装置から指令が所定時間送信されなかった場合には前記処理モード選択手段により第１処理モードに切り替えられるようになっている、請求項５記載の貨幣処理装置。
【請求項７】
識別番号を記憶部に予め記憶させるとともに、権限と処理の種類との関係を記憶部に予め記憶させる工程と、
記憶媒体から少なくとも識別番号および権限に関する情報を読取部により読み取らせる工程と、
前記読取部により前記記憶媒体から情報が読み取られたときに、前記読取部により読み取られた識別番号が前記記憶部に記憶されている識別番号と一致する場合に、前記記憶部に記憶されている権限と処理の種類との関係に基づいて、前記読取部により読み取られた権限に対応する種類の処理を行う工程と、
を備えた、貨幣処理方法。
【発明の詳細な説明】
【技術分野】
【０００１】
本発明は、貨幣の入金処理や出金処理等の様々な処理を行う貨幣処理装置およびこのような貨幣処理装置による貨幣処理方法に関する。
【背景技術】
【０００２】
スーパーマーケットやコンビニエンスストア等の商業施設の店舗において、商品棚が設置されるフロント領域の精算所には貨幣釣銭機がＰＯＳレジスタとともに設置され、また、顧客が立ち入ることができないバックヤード領域には出納機等の入出金機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。このような貨幣釣銭機では、筐体から内部ユニットを手前側に引き出したり、売上金としての貨幣を回収したりする際に、操作者は鍵によって解錠を行うことにより内部ユニットのロックを解除したり回収処理を実行可能としたりするようになっている。しかしながら、全ての操作者が共通の鍵を用いるようにした場合には、例えば他の店舗の鍵でも貨幣釣銭機の筐体から内部ユニットを手前側に引き出したり、売上金としての貨幣を回収したりすることができるようになってしまい、セキュリティ上問題がある。また、操作者毎に鍵を割り当てるようにした場合には、鍵の管理が煩雑となり、またコストがかかるという問題がある。
【０００３】
これに対し、特許文献１には、機械的物理キーを用いない簡易な構成で、貨幣盗難等の影響範囲を容易に狭めることができる金銭処理装置が開示されている。
【先行技術文献】
【特許文献】
【０００４】
【特許文献１】特開２０１５−１６２１２１号公報
【発明の概要】
【発明が解決しようとする課題】
【０００５】
しかしながら、特許文献１等に開示されるような従来の貨幣釣銭機では、操作者の権限等までを認証することができないため、操作者の権限によって処理内容を変えることができず、操作性が悪いという問題があった。
【０００６】
本発明は、このような点を考慮してなされたものであり、記憶媒体から少なくとも識別番号および権限に関する情報を読取部により読み取ることによって、機械的物理キーを用いない簡易な構成としながら、操作者の権限毎に処理内容を変えることができる貨幣処理装置および貨幣処理方法を提供することを目的とする。
【課題を解決するための手段】
【０００７】
本発明の貨幣処理装置は、貨幣の処理を行う処理部と、記憶媒体から少なくとも識別番号および権限に関する情報を読み取る読取部と、識別番号を記憶するとともに、権限と前記処理部により行われる処理の種類との関係を記憶する記憶部と、前記読取部により前記記憶媒体から情報が読み取られたときに、前記読取部により読み取られた識別番号が前記記憶部に記憶されている識別番号と一致する場合に、前記記憶部に記憶されている権限と処理の種類との関係に基づいて、前記読取部により読み取られた権限に対応する種類の処理を前記処理部により実行可能とするよう当該処理部を制御する制御部と、を備えたことを特徴とする。
【０００８】
このような貨幣処理装置によれば、記憶媒体から少なくとも識別番号および権限に関する情報を読取部により読み取ることによって、機械的物理キーを用いない簡易な構成としながら、操作者の権限毎に処理内容を変えることができる。
【０００９】
本発明の貨幣処理装置においては、識別番号は、店舗番号、レジ番号あるいは店舗番号およびレジ番号を組み合わせたものであってもよい。
【００１０】
本発明の貨幣処理装置は、前記記憶部に記憶されている識別番号および権限を前記記憶媒体に書き込む書込部を更に備えていてもよい。
【００１１】
この場合、前記記憶部に記憶されている権限のうち予め設定されている所定の権限を有する者のみが前記書込部により前記記憶部に記憶されている識別番号および権限を前記記憶媒体に書き込むことができる情報登録モードを選択可能となっていてもよい。
【００１２】
本発明の貨幣処理装置は、前記読取部により前記記憶媒体から読み取られた情報に基づいて前記処理部により処理を行うような第１処理モードおよび外部装置から送信された指令に基づいて前記処理部により処理を行うような第２処理モードのうちいずれかの処理モードを選択する処理モード選択手段を更に備え、前記制御部は、前記処理モード選択手段により選択された処理モードに基づいて前記処理部を制御するようになっていてもよい。
【００１３】
上述した貨幣処理装置において、前記処理モード選択手段により第２処理モードが選択されている場合に、外部装置から指令が所定時間送信されなかった場合には前記処理モード選択手段により第１処理モードに切り替えられるようになっていてもよい。
【００１４】
本発明の貨幣処理方法は、識別番号を記憶部に予め記憶させるとともに、権限と処理の種類との関係を記憶部に予め記憶させる工程と、記憶媒体から少なくとも識別番号および権限に関する情報を読取部により読み取らせる工程と、前記読取部により前記記憶媒体から情報が読み取られたときに、前記読取部により読み取られた識別番号が前記記憶部に記憶されている識別番号と一致する場合に、前記記憶部に記憶されている権限と処理の種類との関係に基づいて、前記読取部により読み取られた権限に対応する種類の処理を行う工程と、を備えたことを特徴とする。
【００１５】
このような貨幣処理方法によれば、記憶媒体から少なくとも識別番号および権限に関する情報を読取部により読み取ることによって、機械的物理キーを用いない簡易な構成としながら、操作者の権限毎に処理内容を変えることができる。
【発明の効果】
【００１６】
本発明の貨幣処理装置および貨幣処理方法によれば、記憶媒体から少なくとも識別番号および権限に関する情報を読取部により読み取ることによって、機械的物理キーを用いない簡易な構成としながら、操作者の権限毎に処理内容を変えることができる。
【図面の簡単な説明】
【００１７】
【図１】本発明の実施の形態における貨幣釣銭機およびこのような貨幣釣銭機に設けられたＰＯＳレジスタの外観を示す斜視図である。
【図２】図１に示す貨幣釣銭機における紙幣処理ユニットの内部構成を側方から見たときの構成図である。
【図３】図１に示す貨幣釣銭機における硬貨処理ユニットの内部構成を上方から見たときの構成図である。
【図４】図１に示す貨幣釣銭機において包装硬貨収納ユニットの収納ドロアを筐体から引き出したときの構成を上方から見たときの構成図である。
【図５】図１に示す貨幣釣銭機およびＰＯＳレジスタにおける制御系の構成を示す機能ブロック図である。
【図６】操作者が所持するＩＣタグに記憶されている情報を示す表である。
【図７】図１に示す貨幣釣銭機のリーダライタによりＩＣタグに情報を書き込む際に操作表示部に表示される画面を示す図である。
【発明を実施するための形態】
【００１８】
以下、図面を参照して本発明の実施の形態について説明する。図１乃至図７は、本実施の形態による貨幣釣銭機を示す図である。このうち、図１は、本実施の形態における貨幣釣銭機およびこのような貨幣釣銭機に設けられたＰＯＳレジスタの外観を示す斜視図であり、図２は、図１に示す貨幣釣銭機における紙幣処理ユニットの内部構成を側方から見たときの構成図であり、図３は、図１に示す貨幣釣銭機における硬貨処理ユニットの内部構成を上方から見たときの構成図である。また、図４は、図１に示す貨幣釣銭機において包装硬貨収納ユニットの収納ドロアを筐体から引き出したときの構成を上方から見たときの構成図である。また、図５は、図１に示す貨幣釣銭機およびＰＯＳレジスタにおける制御系の構成を示す機能ブロック図である。また、図６は、操作者が所持するＩＣタグに記憶されている情報を示す表であり、図７は、図１に示す貨幣釣銭機のリーダライタによりＩＣタグに情報を書き込む際に操作表示部に表示される画面を示す図である。
【００１９】
コンビニエンスストアやスーパーマーケット等の商業施設の店舗において、顧客が立ち入ることができるフロント領域には様々な商品が陳列された商品棚が設置されているとともに、このフロント領域の精算所には本実施の形態による貨幣釣銭機１やＰＯＳレジスタ９０が設置されている。顧客がこのような精算所で精算処理を行う際に、店員は、顧客から受け取った商品の代金としての貨幣を貨幣釣銭機１に入金したり、釣銭としての貨幣を貨幣釣銭機１から出金して顧客に返却したりするようになっている。また、ＰＯＳレジスタ９０により、顧客が購入した商品に係る情報や貨幣釣銭機１に収納されている貨幣に係る情報等の管理が行われるようになっている。また、このような店舗における顧客の立ち入りが禁止されたバックヤード領域（具体的には、例えば入金室）には、貨幣釣銭機１から回収された売上金としての貨幣を入金する出納機等の貨幣入出金機が設置されている。また、貨幣釣銭機１において釣銭としての貨幣が不足する場合には、貨幣入出金機から釣銭補充金としての貨幣を出金し、この貨幣入出金機から出金された釣銭補充金としての貨幣を貨幣釣銭機１に補充することができるようになっている。このような貨幣釣銭機１の構成の詳細について図１乃至図５を用いて説明する。
【００２０】
図１等に示すように、本実施の形態による貨幣釣銭機１は、上下に並ぶよう配置された硬貨処理ユニット５０および包装硬貨収納ユニット８０と、これらの硬貨処理ユニット５０や包装硬貨収納ユニット８０の隣に並ぶよう配置された紙幣処理ユニット１０とを備えており、紙幣処理ユニット１０や硬貨処理ユニット５０の上方にはＰＯＳレジスタ９０が載置されるようになっている。紙幣処理ユニット１０および硬貨処理ユニット５０は、それぞれ、硬貨や紙幣の入出金処理を行うようになっている。また、包装硬貨収納ユニット８０は、各金種の包装硬貨を取り出し可能に収納するようになっている。また、ＰＯＳレジスタ９０は、貨幣釣銭機１の管理を行う管理装置として用いられるようになっている。
【００２１】
まず、紙幣処理ユニット１０の構成について図１および図２を用いて具体的に説明する。図１および図２に示すように、紙幣処理ユニット１０は、略直方体形状の筐体１２と、筐体１２の前面側に設けられた紙幣受入部２０と、筐体１２の前面側において紙幣受入部２０の下方に設けられた紙幣払出部２２と、筐体１２の内部で紙幣を１枚ずつ搬送する搬送部３０と、筐体１２の内部で紙幣を収納するとともに収納されている紙幣を繰出可能な複数の紙幣収納部３４、３６、３８とを備えている。なお、図２において、筐体１２の右側の側面が紙幣処理ユニット１０の手前側の面となっており、図２における左向きの方向が紙幣処理ユニット１０の奥行き方向となっている。図２に示すように、搬送部３０は、筐体１２の中央位置に配置された周回搬送部３０ａおよび複数の接続搬送部３０ｂから構成されている。また、紙幣受入部２０、紙幣払出部２２、出金リジェクト部２４、後述する収納カセット２８を着脱自在に装着可能なカセット装着部２６および３つの紙幣収納部３４、３６、３８が、それぞれ、周回搬送部３０ａを取り囲むよう配置されている。また、図２に示すように、複数の接続搬送部３０ｂの各々により、紙幣受入部２０、紙幣払出部２２、出金リジェクト部２４、カセット装着部２６および３つの紙幣収納部３４、３６、３８の各々と、周回搬送部３０ａとの間をそれぞれ接続するようになっている。また、周回搬送部３０ａには識別部３２が設けられており、この識別部３２は、周回搬送部３０ａにより搬送される紙幣の金種、真偽、正損、表裏、新旧、搬送状態等の識別を行うようになっている。
【００２２】
周回搬送部３０ａは、図２における時計回りの方向および反時計回りの方向の両方向に紙幣を１枚ずつ搬送することができるようになっている。また、搬送部３０において、周回搬送部３０ａと各接続搬送部３０ｂとの間で紙幣の搬送経路を切り換える経路切換部（図示せず）が、周回搬送部３０ａに沿って配置されている。
【００２３】
図１および図２に示すように、筐体１２の前面には、紙幣受入部２０の紙幣受入口２０ａと、紙幣払出部２２の紙幣取出口２２ａとがそれぞれ設けられている。また、カセット装着部２６の前面側には扉２６ａが設けられており、この扉２６ａを開くことにより収納カセット２８をカセット装着部２６に装着させたりこのカセット装着部２６から収納カセット２８を取り出したりすることができるようになっている。
【００２４】
紙幣受入部２０には紙幣繰出機構２１が設けられており、紙幣受入口２０ａに１枚あるいは複数枚の紙幣が投入されたことが検知されると紙幣繰出機構２１が駆動されることにより紙幣が接続搬送部３０ｂを介して周回搬送部３０ａ側へ１枚ずつ繰り出されるようになっている。
【００２５】
紙幣払出部２２は、各紙幣収納部３４、３６、３８から周回搬送部３０ａに繰り出された紙幣を紙幣取出口２２ａにより筐体１２の外部へ放出するようになっている。
【００２６】
出金リジェクト部２４は、出金処理時において各紙幣収納部３４、３６、３８から繰り出された紙幣のうち、重送や斜行等の搬送異常により識別部３２で識別することができない紙幣を出金リジェクト紙幣として収納するようになっている。また、紙幣受入部２０から筐体１２の内部に取り込まれた紙幣のうち、入金処理時において汚損等により識別部３２で識別することができない紙幣は入金リジェクト紙幣として紙幣払出部２２に返却されるようになっている。
【００２７】
各紙幣収納部３４、３６、３８は、識別部３２の識別結果に基づいて紙幣を金種別に収納するようになっている。これらの紙幣収納部３４、３６、３８には、紙幣処理ユニット１０に入金された売上金としての紙幣や釣銭として出金されるべき紙幣が収納されるようになっている。具体的には、例えば紙幣収納部３４には千円札が収納され、紙幣収納部３６には二千円札および五千円札が混合状態で収納され、紙幣収納部３８には一万円札が収納されるようになっている。また、各紙幣収納部３４、３６、３８にはそれぞれ紙幣繰出機構３５、３７、３９が設けられており、これらの紙幣収納部３４、３６、３８に収納されている紙幣は各紙幣繰出機構３５、３７、３９により接続搬送部３０ｂを介して周回搬送部３０ａ側へ１枚ずつ繰り出されるようになっている。
【００２８】
また、紙幣処理ユニット１０の筐体１２の内部には、当該筐体１２の前面側に引き出し可能となっている引出部１３が設けられており、上述した紙幣受入部２０、紙幣払出部２２、出金リジェクト部２４、カセット装着部２６、搬送部３０、各紙幣収納部３４、３６、３８は引出部１３に設けられている。また、紙幣処理ユニット１０には、引出部１３を筐体１２の内部にロックするロック機構１４（図５参照）が設けられており、ロック機構１４による引出部１３のロックが解除されると操作者は引出部１３を筐体１２の前面側（すなわち、図２における右方向）に引き出すことができるようになっている。搬送部３０等において紙幣の詰まり等の異常が発生した場合には、ロック機構１４による引出部１３のロックを解除することにより、操作者は引出部１３を筐体１２の前面側に引き出して搬送部３０等から詰まりの原因となる紙幣を取り出すことができるようになる。
【００２９】
また、図１に示すように、紙幣処理ユニット１０の筐体１２の上面における前部にはリーダライタ４０が設けられており、このようなリーダライタ４０によって操作者が所持する無線ＩＣタグ等のＩＣタグから情報を読み取ったり当該ＩＣタグに情報を書き込んだりするようになっている。具体的には、図５に示すように、リーダライタ４０は、当該リーダライタ４０に近づけられたＩＣタグから様々な情報を読み取る読取部４２と、リーダライタ４０に近づけられたＩＣタグに様々な情報を書き込む書込部４４とを有している。リーダライタ４０の読取部４２によりＩＣタグから読み取られる情報や書込部４４によりＩＣタグに書き込まれる情報の詳細については後述する。
【００３０】
次に、硬貨処理ユニット５０の構成について説明する。図１および図３に示すように、硬貨処理ユニット５０は、略直方体形状の筐体５１と、筐体５１の前面側に設けられた硬貨受入部５２と、筐体５１の前面側において硬貨受入部５２の下方に設けられた硬貨払出部６６と、筐体５１の内部で硬貨を収納するとともに収納されている硬貨を繰出可能な複数の収納繰出部６０とを備えている。
【００３１】
硬貨受入部５２は、硬貨投入口を介して受け入れた硬貨を１層１列状態で１枚ずつ筐体５１内に取り込むようになっている。より詳細には、硬貨受入部５２には繰出ベルト等からなる硬貨繰出機構５３（図５参照）が設けられており、硬貨受入部５２に受け入れられた硬貨を検知するとこの硬貨繰出機構５３が駆動されることにより当該硬貨繰出機構５３によって硬貨が筐体５１の内部に１枚ずつ繰り出されるようになっている。また、硬貨受入部５２には、硬貨投入口を開閉するシャッタ５２ａが設けられている。また、図３に示すように、硬貨受入部５２には、当該硬貨受入部５２により筐体５１の内部に繰り出された硬貨を搬送する入金搬送部５４が接続されている。
【００３２】
図３に示すように、入金搬送部５４の途中には、硬貨の金種、真偽、正損、表裏、新旧、搬送状態等の識別を行う識別部５６と、分岐部５８とがそれぞれ設けられている。分岐部５８は、識別部５６による硬貨の識別結果に基づいて、リジェクト硬貨等の、硬貨払出部６６から払い出されるべき硬貨を入金搬送部５４から分岐させて出金搬送部６２へ案内するようになっている。
【００３３】
一方、正常硬貨等の筐体５１内に収納されるべき硬貨は入金搬送部５４により各収納繰出部６０へ搬送されるようになっている。収納繰出部６０は硬貨を金種別に収納するとともに収納されている硬貨を繰出可能となるよう構成されている。具体的には、例えば日本国で流通している硬貨の６つの金種（５００円硬貨、１００円硬貨、５０円硬貨、１０円硬貨、５円硬貨および１円硬貨）に対応して６つの収納繰出部６０が設けられており、入金搬送部５４の上流側（すなわち、図３における下側）から低額順に各収納繰出部６０に硬貨が金種毎に収納されるようになっている。また、収納繰出部６０には、当該収納繰出部６０に収納された硬貨を１枚ずつ出金搬送部６２に繰り出す硬貨繰出機構（図示せず）が設けられている。
【００３４】
出金搬送部６２は、収納繰出部６０から繰り出された硬貨を硬貨払出部６６へ搬送するようになっている。また、出金搬送部６２は、分岐部５８により入金搬送部５４から分岐させられたリジェクト硬貨等を硬貨払出部６６へ搬送するようになっている。
【００３５】
また、硬貨処理ユニット５０の筐体５１の内部には、当該筐体５１の前面側に引き出し可能となっている引出部５５が設けられており、上述した硬貨受入部５２、入金搬送部５４、識別部５６、分岐部５８、各収納繰出部６０、出金搬送部６２、硬貨払出部６６は引出部５５に設けられている。また、硬貨処理ユニット５０には、引出部５５を筐体５１の内部にロックするロック機構５７（図５参照）が設けられており、ロック機構５７による引出部５５のロックが解除されると操作者は引出部５５を筐体５１の前面側（すなわち、図３における下方向）に引き出すことができるようになっている。入金搬送部５４や出金搬送部６２等において硬貨の詰まり等の異常が発生した場合には、ロック機構５７による引出部５５のロックを解除することにより、操作者は引出部５５を筐体５１の前面側に引き出して入金搬送部５４や出金搬送部６２等から詰まりの原因となる硬貨を取り出すことができるようになる。
【００３６】
次に、包装硬貨収納ユニット８０の構成について具体的に説明する。図１および図４に示すように、包装硬貨収納ユニット８０は、手前側の側面が開口している略直方体形状の筐体８１と、筐体８１内に収容可能となっているとともに当該筐体８１から手前側に引き出し可能な収納ドロア８２とを備えており、収納ドロア８２には各金種の包装硬貨が例えば２列で収納されるようになっている（図４において、収納ドロア８２に収納された各金種の包装硬貨を斜線で示している）。ここで、収納ドロア８２には、包装硬貨を１本ずつ収納する収納部（ポケット）が複数個形成されており、各収納部に収納される包装硬貨の金種毎の収納本数および位置が予め設定されている。具体的には、図４において参照符号Ａで示す領域には８本の１００円の包装硬貨が収納可能となっており、参照符号Ｂで示す領域には１本の５００円の包装硬貨が収納可能となっており、参照符号Ｃで示す領域には１本の５０円の包装硬貨が収納可能となっている。また、図４において参照符号Ｄで示す領域には６本の１０円の包装硬貨が収納可能となっており、参照符号Ｅで示す領域には４本の１円の包装硬貨が収納可能となっており、参照符号Ｆで示す領域には１本の５円の包装硬貨が収納可能となっている。
【００３７】
また、図５に示すように、包装硬貨収納ユニット８０の筐体８１の内部には、収納ドロア８２が筐体８１に完全に収容されたときに当該収納ドロア８２を筐体８１内にロックするためのロック機構８６が設けられている。ここで、ロック機構８６が収納ドロア８２を筐体８１の内部にロックしたときには、この収納ドロア８２を筐体８１から手前側に引き出すことができなくなり、よって収納ドロア８２から包装硬貨を取り出すことができなくなる。
【００３８】
また、包装硬貨収納ユニット８０の筐体８１における前面開口の近傍には、収納ドロア８２が筐体８１から手前側に引き出されたり筐体８１の内部に戻されたりする際に当該収納ドロア８２に収納されている包装硬貨の金種毎の本数を検知する検知手段８４が設けられている。具体的には、図４等に示すように、検知手段８４は左右一対の光センサ８４ａおよび筐体８１からの収納ドロア８２の引き出し量を検知するロータリエンコーダ８４ｂを有している。ここで、各光センサ８４ａは発光素子および受光素子を有しており、発光素子から発せられた光は、包装硬貨収納ユニット８０の幅方向（図４における左右方向）に延びる光軸を通って受光素子に送られるようになっている。そして、収納ドロア８２が筐体８１の内部に完全に収容されていたり当該収納ドロア８２が筐体８１から完全に引き出されたりしているときには、各光センサ８４ａにおいて発光素子から発せられた光は受光素子により受けられ、一方、収納ドロア８２が筐体８１から手前側に引き出されたり筐体８１の内部に戻されたりする際に、発光素子から発せられた光が収納ドロア８２内に収納された包装硬貨により遮られることにより受光素子に届かなくなり、このことにより包装硬貨の孔の有無や直径の大きさが検知されるようになる。前述したように、収納ドロア８２において、収納される包装硬貨の金種毎の収納本数および位置が予め設定されているため、光センサ８４ａにより検知された包装硬貨の孔の有無や直径の大きさ、ならびにロータリエンコーダ８４ｂにより検知された筐体８１からの収納ドロア８２の引き出し量に基づいて、収納ドロア８２に収納された包装硬貨の金種毎の本数、および各包装硬貨が収納ドロア８２内の所定の位置に正しく収納されているか否か等が検知されるようになっている。
【００３９】
なお、本実施の形態による包装硬貨収納ユニット８０は上記の構成のものに限定されることはない。他の構成の包装硬貨収納ユニット８０において、収納ドロア８２に収納されている包装硬貨の金種毎の本数を検知する検知手段８４として、収納ドロア８２の収納部に収納される包装硬貨の有無および金種（材質）を検出するセンサを全ての収納部に配置するような方式のものが用いられてもよい。
【００４０】
次に、ＰＯＳレジスタ９０の構成について具体的に説明する。図１および図５に示すように、ＰＯＳレジスタ９０は、ＰＯＳ制御部９１と、ＰＯＳ制御部９１にそれぞれ接続されたモニタ等の表示部９３および操作キー等の操作部９４とを備えている。操作部９４は、操作者が操作することができるようになっており、ＰＯＳ制御部９１に対して様々な指令を与えることができるようになっている。また、表示部９３は、紙幣処理ユニット１０や硬貨処理ユニット５０における紙幣や硬貨の処理状況や、紙幣処理ユニット１０や硬貨処理ユニット５０に収納されている紙幣や硬貨の在高等の情報を表示するようになっている。また、ＰＯＳレジスタ９０には顧客が視認可能な追加の表示部９３ａが設けられており、様々な情報を表示部９３に表示させる代わりに、あるいは表示部９３における表示に加えて、追加の表示部９３ａにおいて表示が行われるようになっていてもよい。また、ＰＯＳレジスタ９０にはカードリーダ９６および印字部９７が設けられている（図５参照、図１では図示せず）。カードリーダ９６は、店員等の操作者が所持するＩＤカードを読み取ることにより当該操作者のＩＤや権限等に関する情報を取得するようになっている。また、印字部９７は例えばプリンタから構成され、売上レシートや集計レシートに加えて、紙幣処理ユニット１０や硬貨処理ユニット５０に収納されている紙幣や硬貨の在高等の情報をレシートに印字するようになっている。
【００４１】
次に、このような貨幣釣銭機１における制御系の構成について図５を用いて説明する。図５に示すように、硬貨処理ユニット５０は、上位制御部２および硬貨制御部５０ａを有しており、これらの上位制御部２および硬貨制御部５０ａは互いに接続されている。また、紙幣処理ユニット１０は紙幣制御部１０ａを有しており、この紙幣制御部１０ａは硬貨処理ユニット５０の上位制御部２に接続されている。また、包装硬貨収納ユニット８０は包装硬貨制御部８０ａを有しており、この包装硬貨制御部８０ａは硬貨処理ユニット５０の上位制御部２に接続されている。また、ＰＯＳレジスタ９０に設けられたＰＯＳ制御部９１も硬貨処理ユニット５０の上位制御部２に接続されている。また、図示していないが、ＰＯＳレジスタ９０のＰＯＳ制御部９１は店舗サーバ等の上位端末と通信可能に接続されている。
【００４２】
図５に示すように、硬貨処理ユニット５０の上位制御部２には、紙幣処理ユニット１０、包装硬貨収納ユニット８０およびＰＯＳレジスタ９０の各々と通信を行うための通信部３、操作表示部４、記憶部６および処理モード選択手段８がそれぞれ接続されている。この上位制御部２は、通信部３により、紙幣処理ユニット１０の紙幣制御部１０ａ、包装硬貨収納ユニット８０の包装硬貨制御部８０ａおよびＰＯＳレジスタ９０のＰＯＳ制御部９１に対して信号の送受信を行うようになっている。また、操作表示部４は硬貨処理ユニット５０の筐体５１の上面に設けられたタッチパネル等からなり、操作者が操作するための操作画面や、紙幣処理ユニット１０、硬貨処理ユニット５０および包装硬貨収納ユニット８０の各々に収納されている貨幣の在高に係る情報が操作表示部４に表示されるようになっている。このような操作表示部４において操作者は操作画面における操作ボタンに指を触れることによって上位制御部２に様々な指令を入力することができるようになっている。記憶部６には、紙幣処理ユニット１０、硬貨処理ユニット５０および包装硬貨収納ユニット８０の各々に収納されている貨幣の在高に係る情報や、貨幣釣銭機１における貨幣の処理履歴等の様々な情報が記憶されるようになっている。また、記憶部６には、本実施の形態による貨幣釣銭機１の識別番号として、貨幣釣銭機１が設置される店舗の番号（以下、店舗番号ともいう）、および貨幣釣銭機１に対応するＰＯＳレジスタ９０の識別番号（以下、レジ番号ともいう）がそれぞれ記憶されるようになっている。また、処理モード選択手段８は、リーダライタ４０の読取部４２によりＩＣタグから読み取られた情報に基づいて貨幣釣銭機１の各構成部材により各種の処理を行うような第１処理モードおよびＰＯＳレジスタ９０等の外部装置から送信された指令に基づいて貨幣釣銭機１の各構成部材により各種の処理を行うような第２処理モードのうちいずれかの処理モードを選択するようになっている。このような処理モード選択手段８の機能の詳細については後述する。
【００４３】
また、紙幣処理ユニット１０の紙幣制御部１０ａには、通信部１８、紙幣繰出機構２１、搬送部３０、識別部３２、紙幣繰出機構３５、３７、３９、カセット装着部２６、ロック機構１４、リーダライタ４０等が接続されており、識別部３２による紙幣の識別情報や、操作者が所持するＩＣタグからリーダライタ４０の読取部４２により読み取られた情報が紙幣制御部１０ａに送られるとともに、紙幣制御部１０ａは紙幣処理ユニット１０の各構成部材に指令信号を送ることによりこれらの構成部材の制御を行うようになっている。また、紙幣制御部１０ａは、通信部１８により、硬貨処理ユニット５０の上位制御部２に対して信号の送受信を行うようになっている。
【００４４】
また、硬貨処理ユニット５０の硬貨制御部５０ａには、硬貨繰出機構５３、入金搬送部５４、識別部５６、分岐部５８、各収納繰出部６０、出金搬送部６２およびロック機構５７等が接続されており、識別部５６による硬貨の識別情報が硬貨制御部５０ａに送られるとともに、硬貨制御部５０ａは硬貨処理ユニット５０の各構成部材に指令信号を送ることによりこれらの構成部材の制御を行うようになっている。
【００４５】
また、包装硬貨収納ユニット８０の包装硬貨制御部８０ａには、通信部８９、検知手段８４、ロック機構８６および記憶部８８等が接続されており、検知手段８４による包装硬貨の検知情報が包装硬貨制御部８０ａに送られるとともに、包装硬貨制御部８０ａはロック機構８６に指令信号を送ることにより当該ロック機構８６の制御を行うようになっている。また、包装硬貨制御部８０ａは、通信部８９により、硬貨処理ユニット５０の上位制御部２に対して信号の送受信を行うようになっている。また、包装硬貨収納ユニット８０の収納ドロア８２に収納されている包装硬貨の在高の情報等が記憶部８８に記憶されるようになっている。
【００４６】
また、ＰＯＳレジスタ９０のＰＯＳ制御部９１には、表示部９３、操作部９４、記憶部９５、通信部９２、カードリーダ９６、印字部９７等がそれぞれ通信可能に接続されており、操作者により操作部９４に入力された指令が当該操作部９４からＰＯＳ制御部９１に送られたり、カードリーダ９６により読み取られた店員等の操作者のＩＤカードに係る情報がＰＯＳ制御部９１に送られたりするようになっている。また、ＰＯＳ制御部９１は表示部９３に指令を送ることにより当該表示部９３に様々な情報を表示させるようになっている。なお、ＰＯＳ制御部９１は、表示部９３に様々な情報を表示させる代わりに、あるいは表示部９３における表示に加えて、追加の表示部９３ａにおいて表示を行わせるようになっていてもよい。また、ＰＯＳ制御部９１は印字部９７に指令を送ることにより当該印字部９７により様々な情報をレシート等に印字させるようになっている。また、ＰＯＳレジスタ９０のＰＯＳ制御部９１は、通信部９２により、硬貨処理ユニット５０の上位制御部２や店舗サーバ等の上位端末（図示せず）に対して信号の送受信を行うようになっている。また、記憶部９５には、紙幣処理ユニット１０や硬貨処理ユニット５０等から送信された、紙幣処理ユニット１０や硬貨処理ユニット５０における硬貨や紙幣の処理状況や、紙幣処理ユニット１０や硬貨処理ユニット５０、包装硬貨収納ユニット８０の内部に収納されている硬貨や紙幣、包装硬貨の在高等の様々な情報が記憶されるようになっている。
【００４７】
次に、本実施の形態による貨幣釣銭機１の動作について説明する。なお、以下に示すような貨幣釣銭機１の動作は、紙幣制御部１０ａや硬貨制御部５０ａが紙幣処理ユニット１０や硬貨処理ユニット５０の各構成部材を制御することにより行われるようになっている。
【００４８】
本実施の形態では、貨幣釣銭機１におけるリーダライタ４０の読取部４２により情報が読み取られるべきＩＣタグ（すなわち、操作者が所持するＩＣタグ）には、図６の表に示す情報が記憶されるようになっている。具体的には、ＩＣタグには少なくとも店舗番号、レジ番号および操作者の権限が記憶されるようになっている。ここで、店舗番号とは、本実施の形態による貨幣釣銭機１が設置される店舗の番号のことをいい、レジ番号とは、本実施の形態による貨幣釣銭機１に対応するＰＯＳレジスタ９０の識別番号のことをいう。また、操作者の権限として、例えば、ＩＣタグを所持する操作者が店舗の管理者である場合には「００１」という番号がＩＣタグに記憶され、ＩＣタグを所持する操作者が店舗の店員である場合には「００２」という番号がＩＣタグに記憶され、ＩＣタグを所持する操作者がメンテナンス員である場合には「００３」という番号がＩＣタグに記憶されるようになっている。なお、操作者を特定する個人識別番号や社員番号がＩＣタグに記憶されるようになっていてもよい。この場合には、貨幣釣銭機１の記憶部６には、操作者の個人識別番号や社員番号と、操作可能な処理とが関連付けられたテーブルが記憶されるようになる。このようにして、操作者の権限に係る情報が操作者の個人識別番号や社員番号として間接的にＩＣカードに記憶されるようになる。
【００４９】
また、本実施の形態による貨幣釣銭機１では、記憶部６には操作者の権限と貨幣釣銭機１において行われる処理の種類との関係が記憶されるようになっている。ここで、貨幣釣銭機１において行われる処理の種類としては、紙幣処理ユニット１０や硬貨処理ユニット５０の筐体１２、５１の内部に紙幣や硬貨を投入して識別部３２、５６により識別させた後に紙幣収納部３４、３６、３８や収納繰出部６０に収納させるような入金処理、紙幣収納部３４、３６、３８や収納繰出部６０から繰り出された紙幣や硬貨を紙幣処理ユニット１０や硬貨処理ユニット５０の筐体１２、５１の外部に投出するような出金処理、紙幣収納部３４、３６、３８や収納繰出部６０に収納されている紙幣や硬貨の在高を確認するような精査処理、紙幣収納部３４、３６、３８や収納繰出部６０に紙幣や硬貨を補充するような補充処理、紙幣収納部３４、３６、３８や収納繰出部６０から紙幣や硬貨を回収するような回収処理等がある。また、記憶部６には、操作者の権限と処理の種類との関係として、例えば、店舗の店員は上述した様々な処理のうち入金処理、出金処理および精査処理しか行うことができないが、店舗の管理者は入金処理、出金処理および精査処理に加えて、補充処理および回収処理を行うことができるという情報が記憶されるようになっている。
【００５０】
また、上述したように、紙幣処理ユニット１０や硬貨処理ユニット５０において、筐体１２、５１の内部にはこれらの筐体１２、５１の前面側に引き出し可能な引出部１３、５５が設けられており、これらの引出部１３、５５はロック機構１４、５７により筐体１２、５１の内部にロックされるようになっているが、所定の権限を有する操作者のみがロック機構１４、５７による引出部１３、５５のロックを解除することができるようになっている。また、紙幣処理ユニット１０における搬送部３０や硬貨処理ユニット５０における入金搬送部５４、出金搬送部６２をロックするためのロック機構（図示せず）や、紙幣処理ユニット１０における各紙幣収納部３４、３６、３８や硬貨処理ユニット５０における各収納繰出部６０の内部に操作者の手が入らないようにするためにこれらの各紙幣収納部３４、３６、３８や各収納繰出部６０に設けられた扉を閉状態でロックするためのロック機構（図示せず）、紙幣処理ユニット１０における出金リジェクト部２４の扉を閉状態でロックするためのロック機構（図示せず）等についても、所定の権限を有する操作者のみがこれらのロック機構によるロックを解除することができるようになっている。具体的には、ロック機構１４、５７による引出部１３、５５のロックの解除は、店舗の店員、管理者およびメンテナンス員が行うことができるようになっているが、搬送部３０、入金搬送部５４、出金搬送部６２のロックの解除や出金リジェクト部２４の扉のロックの解除は店舗の管理者およびメンテナンス員のみが行うことができるようになっている。また、メンテナンス員はその他の全てのロック機構によるロックを解除することができるようになっている。このように、記憶部６には、操作者の権限と、各種のロック機構によるロックを解除するという処理とが関連付けられて記憶されるようになる。また、記憶部６に記憶されている、操作者の権限と、各種のロック機構によるロックを解除するという処理との関係を例えば操作表示部４により自在に変更することができるようになっていてもよい。
【００５１】
本実施の形態による貨幣釣銭機１において操作者が様々な処理を行うにあたり、当該操作者はまず所持するＩＣタグの情報をリーダライタ４０の読取部４２により読み取らせる。このことにより、図６の表に示すような情報が読取部４２により読み取られるようになり、読み取られた情報は上位制御部２に送られる。そして、上位制御部２において、読取部４２により読み取られた店舗番号およびレジ番号と、記憶部６に記憶されている店舗番号およびレジ番号とが一致するか否かが判別される。ここで、読取部４２により読み取られた店舗番号およびレジ番号と、記憶部６に記憶されている店舗番号およびレジ番号とが一致しない場合には、操作者が所持するＩＣタグが貨幣釣銭機１に対応するものではないとして、操作表示部４にエラーメッセージが表示され、当該操作者はこの貨幣釣銭機１で処理を行うことができないようになる。また、読取部４２により読み取られた店舗番号およびレジ番号と、記憶部６に記憶されている店舗番号およびレジ番号とが一致する場合には、記憶部６に記憶されている操作者の権限と処理の種類との関係に基づいて、読取部４２によりＩＣタグから読み取られた操作者の権限に対応する種類の処理を各構成部材により実行可能とするよう紙幣制御部１０ａや硬貨制御部５０ａは紙幣処理ユニット１０や硬貨処理ユニット５０の各構成部材を制御するようになる。具体的には、読取部４２によりＩＣタグから読み取られた操作者の権限が店舗の店員である場合には、貨幣釣銭機１において入金処理、出金処理および精査処理を行うことができるようになる。一方、読取部４２によりＩＣタグから読み取られた操作者の権限が店舗の管理者である場合には、貨幣釣銭機１において入金処理、出金処理、精査処理、補充処理および回収処理を行うことができるようになる。また、読取部４２によりＩＣタグから読み取られた操作者の権限がメンテナンス員である場合には、貨幣釣銭機１においてロック機構１４、５７による引出部１３、５５のロックを解除することができるようになる。
【００５２】
また、本実施の形態による貨幣釣銭機１では、貨幣釣銭機１を用いて店舗番号やレジ番号を設定し、設定された店舗番号やレジ番号を記憶部６に記憶させることができるようになっている。また、設定された店舗番号やレジ番号をリーダライタ４０の書込部４４によりＩＣタグに書き込むことができるようになっている。より詳細には、上位制御部２において、記憶部６に記憶されている操作者の様々な権限のうち予め設定されている所定の権限を有する者（例えば、店舗の管理者）のみが書込部４４によりＩＣタグに上記の情報を書き込むことができる情報登録モードを選択可能になっている。このような情報登録モードは、貨幣釣銭機１が待機状態となっているときに管理者が所持するＩＣタグの情報をリーダライタ４０の読取部４２により読み取らせ、操作表示部４のメニュー画面で情報登録モードを選択することにより実行可能となっている。操作表示部４のメニュー画面でこのような情報登録モードを選択すると、当該操作表示部４には図７に示すような設定画面が表示されるようになる。このような設定画面で操作者が店舗番号やレジ番号を設定すると、設定された店舗番号やレジ番号は記憶部６に記憶されるようになる。また、図７に示すような設定画面において操作者が店舗番号やレジ番号を設定した後、ＩＣタグをリーダライタ４０に近づけると、設定された店舗番号やレジ番号、および記憶部６に記憶されている操作者の様々な権限のうちある一つの権限がＩＣタグに書き込まれるようになる。ここで、ＩＣタグに書き込まれる操作者の権限は操作表示部４により選択することができるようになっている。このようにして、貨幣釣銭機１を用いて店舗番号やレジ番号を設定するとともに、設定された店舗番号やレジ番号をＩＣタグに記憶させることができるようになる。
【００５３】
また、上記の情報登録モードにおいて、操作者が店舗番号として特定の番号（例えば、９９９９）を設定すると、ＩＣタグは各店舗で共通利用が可能となる。ここで、各店舗で共通利用が可能となるＩＣタグを設けた場合には、複数の店舗を管理している管理者は各店舗のＩＣタグを所持する必要がなくなる。また、上記の情報登録モードにおいて、操作者がレジ番号として特定の番号を設定すると、ＩＣタグは各レジで共通利用が可能となる。ここで、ＩＣタグに記憶されるレジ番号を特定の番号とした場合には、当該ＩＣタグは他の店舗では利用できないが、その店舗の全てのレジの貨幣釣銭機１が利用可能となるため、店員はどのレジでもすぐに貨幣釣銭機１を使用することができるようになる。
【００５４】
また、例えば貨幣釣銭機１で発生したエラーを解除する際に、ロック機構１４、５７による引出部１３、５５のロックを解除して引出部１３、５５を筐体１２、５１から前面に引き出す動作、ロック機構による搬送部３０、入金搬送部５４、出金搬送部６２のロックを解除する動作、および各紙幣収納部３４、３６、３８や各収納繰出部６０に設けられた扉のロックを解除する動作が順に行われる場合において、ＩＣタグをリーダライタ４０の読取部４２により１回読み取らせるだけで上記の全てのロックが解除されるようになっていてもよく、あるいはＩＣタグをリーダライタ４０の読取部４２により読み取らせる度に１つずつロックが解除されるようになっていてもよい。後者の場合には、各ロック機構によるロックを順番に解除していくため、操作者によるエラー解除ミスを防止することができ、また、紙幣処理ユニット１０や硬貨処理ユニット５０における不要な箇所が開けられてしまうことを防止することができるようになる。
【００５５】
また、本実施の形態の貨幣釣銭機１では、処理モード選択手段８により、リーダライタ４０の読取部４２によりＩＣタグから読み取られた情報に基づいて貨幣釣銭機１の各構成部材により各種の処理を行うような第１処理モードおよびＰＯＳレジスタ９０等の外部装置から送信された指令に基づいて貨幣釣銭機１の各構成部材により各種の処理を行うような第２処理モードのうちいずれかの処理モードを選択するようになっている。また、紙幣制御部１０ａや硬貨制御部５０ａは、処理モード選択手段８により選択された処理モードに基づいて、紙幣処理ユニット１０や硬貨処理ユニット５０の各構成部材を制御するようになっている。より詳細には、貨幣釣銭機１が待機状態となっているときに管理者が所持するＩＣタグの情報をリーダライタ４０の読取部４２により読み取らせた後、操作表示部４により第１処理モードおよび第２処理モードのうち何れかの処理モードを設定することができるようになり、処理モード選択手段８は、操作表示部４による設定内容に基づいて第１処理モードおよび第２処理モードのうち何れかの処理モードを選択するようになる。  
【００５６】
なお、処理モード選択手段８により第２処理モードが選択された場合に備えて、ＰＯＳレジスタ９０の記憶部９５に店舗番号やレジ番号を予め記憶させていく。また、ＰＯＳレジスタ９０のカードリーダ９６によって店員等の操作者が所持するＩＤカードを読み取ることによりＰＯＳ制御部９１は操作者のＩＤや権限等に関する情報を取得することができるようになっている。このようにして、ＩＣタグを用いなくてもＰＯＳレジスタ９０において図６の表に示す情報（具体的には、店舗番号、レジ番号および操作者の権限）を取得することができるようになるため、処理モード選択手段８により第２処理モードが選択された場合には、ＩＣタグを用いた第１処理モードを実行する場合よりもセキュリティ性を向上させることができるようになる。
【００５７】
また、本実施の形態による貨幣釣銭機１では、処理モード選択手段８により上述した第２処理モードが選択されているときに、ＰＯＳレジスタ９０等の外部装置から指令が所定時間送信されなかった場合には処理モード選択手段８により第１処理モードに自動的に切り替えられるようになっている。
【００５８】
以上のような構成からなる本実施の形態の貨幣釣銭機１（貨幣処理装置）およびこのような貨幣釣銭機１による貨幣処理方法によれば、記憶部６は、店舗番号やレジ番号等の識別番号を記憶するとともに、操作者の権限と処理部（具体的には、紙幣処理ユニット１０や硬貨処理ユニット５０の各構成部材）により行われる処理の種類との関係を記憶するようになっており、制御部（具体的には、上位制御部２、紙幣制御部１０ａおよび硬貨制御部５０ａ）は、リーダライタ４０の読取部４２により記憶媒体（具体的には、ＩＣタグ）から情報が読み取られたときに、読取部４２により読み取られた識別番号が記憶部６に記憶されている識別番号と一致する場合に、記憶部６に記憶されている操作者の権限と処理の種類との関係に基づいて、読取部４２により読み取られた操作者の権限に対応する種類の処理を処理部により実行可能とするよう当該処理部を制御するようになっている。このように、ＩＣタグから記憶媒体から少なくとも識別番号および操作者の権限に関する情報を読取部４２により読み取ることによって、機械的物理キーを用いない簡易な構成としながら、操作者の権限毎に貨幣釣銭機１における処理内容を変えることができるようになる。
【００５９】
また、上記の説明では、記憶部６に記憶されている識別番号や、ＩＣタグに記憶されている識別番号が、店舗番号およびレジ番号を組み合わせたものであるような態様について述べたが、本実施の形態による貨幣釣銭機１はこのような態様に限定されることはない。記憶部６に記憶されている識別番号や、ＩＣタグに記憶されている識別番号として、店舗番号のみが用いられてもよく、あるいはレジ番号のみが用いられてもよい。記憶部６に記憶されている識別番号や、ＩＣタグに記憶されている識別番号として、店舗番号のみが用いられる場合には、ＩＣタグを店舗毎の異番鍵として用いることができるようになる。また、記憶部６に記憶されている識別番号や、ＩＣタグに記憶されている識別番号として、レジ番号のみが用いられる場合には、ＩＣタグを同一店舗内のレジ毎の異番鍵として用いることができるようになる。また、記憶部６に記憶されている識別番号や、ＩＣタグに記憶されている識別番号として、店舗番号やレジ番号以外の番号が用いられてもよい。また、記憶部６に記憶されている識別番号や、ＩＣタグに記憶されている識別番号として、文字や記号が用いられてもよい。
【００６０】
また、本実施の形態に係る貨幣釣銭機１においては、上述したように、記憶部６に記憶されている店舗番号やレジ番号等の識別番号および操作者の権限をＩＣタグ等の記憶媒体に書き込む書込部４４が設けられている。また、この場合、記憶部６に記憶されている操作者の様々な権限のうち予め設定されている所定の権限を有する者のみが書込部４４により記憶部６に記憶されている識別番号および権限をＩＣタグ等の記憶媒体に書き込むことができる情報登録モードを選択可能となっている。このことにより、ＩＣタグに情報を書き込む専用の情報書込機を用いなくても、本実施の形態の貨幣釣銭機１によりＩＣタグに必要な情報を書き込むことができるようになる。
【００６１】
また、上記の情報登録モードにおいて、店舗番号やレジ番号等の識別番号、および操作者の権限等の情報をＩＣタグに書き込むだけではなく、貨幣釣銭機１における処理内容をＩＣタグに一時的に書き込むことができるようになっていてもよい。例えば、店舗の管理者が貨幣釣銭機１に両替処理の内容を入力し、入力された両替処理の内容を店舗の店員がリーダライタ４０の書込部４４により当該店員が所持するＩＣタグに書き込む。そして、この店員は他の貨幣釣銭機１でＩＣタグをリーダライタ４０の読取部４２により読み取らせることにより、両替処理の内容を入力することなく両替処理を行うことができるようになる。このことにより、店舗の管理者の手が離せない場合でも、店員に代行を依頼することができ、さらに店員の聞き間違えや入力ミス等による処理ミスを防止することができる。また、上記の動作は両替処理に限定されることはなく、売上金としての貨幣の入金処理や回収処理、不足分の貨幣の補充処理についても同様の動作を行うことができるようになっていてもよい。このように、店員やアルバイト等の権限では処理できない処理内容についても管理者が入力している場合は、管理者から依頼された処理内容のみ一時的に権限が付与される形になる。
【００６２】
また、本実施の形態に係る貨幣釣銭機１においては、上述したように、読取部４２によりＩＣタグ等の記憶媒体から読み取られた情報に基づいて処理部により処理を行うような第１処理モードおよびＰＯＳレジスタ９０等の外部装置から送信された指令に基づいて処理部により処理を行うような第２処理モードのうちいずれかの処理モードを選択する処理モード選択手段８が設けられており、上位制御部２、紙幣制御部１０ａ、硬貨制御部５０ａ等の制御部は、処理モード選択手段８により選択された処理モードに基づいて処理部を制御するようになっている。この場合には、ＩＣタグ等の記憶媒体を用いることにより操作者にとっての操作性を向上させることができるような第１処理モードおよびセキュリティ性を向上させることができるような第２処理モードのうち状況に応じて望ましい処理モードを選択することにより利便性を向上させることができる。また、処理モード選択手段８により第２処理モードが選択されているときに、ＰＯＳレジスタ９０等の外部装置から指令が所定時間送信されなかった場合には処理モード選択手段８により第１処理モードに切り替えられるようになっていてもよい。この場合には、ＰＯＳレジスタ９０等の外部装置から指令が所定時間送信されないと処理モードが第２処理モードから第１処理モードに自動で切り替えられるため、操作者が処理モードを変更する手間を省くことができるようになり利便性をより一層向上させることができるようになる。
【００６３】
なお、本実施の形態による貨幣釣銭機１やこのような貨幣釣銭機１による貨幣処理方法は、上述したような態様に限定されることはなく、様々な変更を加えることができる。
【００６４】
例えば、本実施の形態に係る貨幣釣銭機１は、紙幣処理ユニット１０および硬貨処理ユニット５０を組み合わせたものに限定されることはない。本実施の形態に係る貨幣釣銭機１として、紙幣処理ユニット１０が単体で用いられるような紙幣釣銭機を適用してもよく、あるいは、硬貨処理ユニット５０が単体で用いられるような硬貨釣銭機を適用してもよい。
【００６５】
また、読取部４２により識別番号（具体的には、店舗番号やレジ番号）や操作者の権限に関する情報が読み取られる記憶媒体はＩＣタグに限定されることはない。記憶媒体として、操作者が所持するＩＤカードや携帯端末（具体的には、スマートフォン等）が用いられるようになっていてもよい。
【００６６】
また、本発明の原理が適用される貨幣処理装置は貨幣釣銭機１に限定されることはない。本発明の原理が適用される貨幣処理装置として、店舗のバックヤード領域に設けられた出納機等の他の種類の装置が用いられてもよい。
【符号の説明】
【００６７】
１      貨幣釣銭機
２      上位制御部
３      通信部
４      操作表示部
６      記憶部
８      処理モード選択手段
１０    紙幣処理ユニット
１０ａ  紙幣制御部
１２    筐体
１３    引出部
１４    ロック機構
１８    通信部
２０    紙幣受入部
２０ａ  紙幣受入口
２１    紙幣繰出機構
２２    紙幣払出部
２２ａ  紙幣取出口
２４    出金リジェクト部
２６    カセット装着部
２６ａ  扉
２８    収納カセット
３０    搬送部
３０ａ  周回搬送部
３０ｂ  接続搬送部
３２    識別部
３４、３６、３８  紙幣収納部
３５、３７、３９  紙幣繰出機構
４０    リーダライタ
４２    読取部
４４    書込部
５０    硬貨処理ユニット
５０ａ  硬貨制御部
５１    筐体
５２    硬貨受入部
５２ａ  シャッタ
５３    硬貨繰出機構
５４    入金搬送部
５５    引出部
５６    識別部
５７    ロック機構
５８    分岐部
６０    収納繰出部
６２    出金搬送部
６６    硬貨払出部
８０    包装硬貨収納ユニット
８０ａ  包装硬貨制御部
８１    筐体
８２    収納ドロア
８４    検知手段
８４ａ  光センサ
８４ｂ  ロータリエンコーダ
８６    ロック機構
８８    記憶部
８９    通信部
９０    ＰＯＳレジスタ
９１    ＰＯＳ制御部
９２    通信部
９３    表示部
９３ａ  追加の表示部
９４    操作部
９５    記憶部
９６    カードリーダ
９７    印字部
【図１】
2017138819.tif 000003
【図２】
2017138819.tif 000004
【図３】
2017138819.tif 000005
【図４】
2017138819.tif 000006
【図５】
2017138819.tif 000007
【図６】
2017138819.tif 000008
【図７】
2017138819.tif 000009